(57)【特許請求の範囲】
【請求項１】
高電力基地局と、前記高電力基地局よりも送信出力が小さい低電力基地局と、前記高電力基地局が形成する通信エリア内に位置する無線端末とを有する無線通信システムであって、
前記無線通信システムは、前記無線端末と前記低電力基地局との間の通信品質が所定値以上である場合に、前記高電力基地局を前記無線端末の接続先候補から除外する接続先候補設定部を備え、
前記所定値は、前記高電力基地局における制御情報用の無線リソースの使用率が大きいほど、高くなる値である無線通信システム。
【請求項２】
前記接続先候補設定部は、前記無線端末と前記低電力基地局との間の通信品質が所定値を超えていない場合に、最も高い通信品質に対応する前記高電力基地局及び前記低電力基地局の何れかを接続先候補とする請求項１に記載の無線通信システム。
【請求項３】
前記所定値は、前記低電力基地局から前記無線端末へ送信される制御情報の誤り率が規定値となる場合の通信品質である請求項１又は２に記載の無線通信システム。
【請求項４】
高電力基地局と、前記高電力基地局よりも送信出力が小さい低電力基地局と、前記高電力基地局が形成する通信エリア内に位置する無線端末とを有する無線通信システムにおける前記高電力基地局であって、
前記無線端末と前記低電力基地局との間の通信品質が所定値以上である場合に、前記高電力基地局を前記無線端末の接続先候補から除外する接続先候補設定部を備え、
前記所定値は、前記高電力基地局における制御情報用の無線リソースの使用率が大きいほど、高くなる値である高電力基地局。
【請求項５】
高電力基地局と、前記高電力基地局よりも送信出力が小さい低電力基地局と、前記高電力基地局が形成する通信エリア内に位置する無線端末とを有する無線通信システムにおける前記低電力基地局であって、
前記無線端末と前記低電力基地局との間の通信品質が所定値以上である場合に、前記高電力基地局を前記無線端末の接続先候補から除外する接続先候補設定部を備え、
前記所定値は、前記高電力基地局における制御情報用の無線リソースの使用率が大きいほど、高くなる値である低電力基地局。
【請求項６】
高電力基地局と、前記高電力基地局よりも送信出力が小さい低電力基地局と、前記高電力基地局が形成する通信エリア内に位置する無線端末とを有する無線通信システムにおける前記無線端末であって、
前記無線端末と前記低電力基地局との間の通信品質が所定値以上である場合に、前記高電力基地局を前記無線端末の接続先候補から除外する接続先候補設定部を備え、
前記所定値は、前記高電力基地局における制御情報用の無線リソースの使用率が大きいほど、高くなる値である無線端末。
【請求項７】
高電力基地局と、前記高電力基地局よりも送信出力が小さい低電力基地局と、前記高電力基地局が形成する通信エリア内に位置する無線端末とを有する無線通信システムにおける無線通信方法であって、
前記高電力基地局が、前記無線端末と前記低電力基地局との間の通信品質が所定値以上である場合に、前記高電力基地局を前記無線端末の接続先候補から除外するステップを含み、
前記所定値は、前記高電力基地局における制御情報用の無線リソースの使用率が大きいほど、高くなる値である無線通信方法。
【請求項８】
高電力基地局と、前記高電力基地局よりも送信出力が小さい低電力基地局と、前記高電力基地局が形成する通信エリア内に位置する無線端末とを有する無線通信システムにおける無線通信方法であって、
前記低電力基地局が、前記無線端末と前記低電力基地局との間の通信品質が所定値以上である場合に、前記高電力基地局を前記無線端末の接続先候補から除外するステップを含み、
前記所定値は、前記高電力基地局における制御情報用の無線リソースの使用率が大きいほど、高くなる値である無線通信方法。
【請求項９】
高電力基地局と、前記高電力基地局よりも送信出力が小さい低電力基地局と、前記高電力基地局が形成する通信エリア内に位置する無線端末とを有する無線通信システムにおける無線通信方法であって、
前記無線端末が、前記無線端末と前記低電力基地局との間の通信品質が所定値以上である場合に、前記高電力基地局を前記無線端末の接続先候補から除外するステップを含み、
前記所定値は、前記高電力基地局における制御情報用の無線リソースの使用率が大きいほど、高くなる値である無線通信方法。
【発明の詳細な説明】
【技術分野】
【０００１】
本発明は、高電力基地局と、当該高電力基地局よりも送信出力が小さい低電力基地局と、当該高電力基地局が形成する通信エリア内に位置する無線端末とを有する無線通信システムと、当該無線通信システムにおける高電力基地局、低電力基地局及び無線端末と、当該無線通信システムにおける無線通信方法とに関する。
【背景技術】
【０００２】
従来、セルラ方式の無線通信システムにおいては、広範なサービスエリアをセルと呼ばれる通信エリア単位に分割し、通信エリア内の無線端末との無線通信を受け持つ基地局を通信エリア毎に配置することで、広範なサービスエリアを面的にカバーしている。このような基地局としては、送信出力が大きい高電力基地局（いわゆる、マクロセル基地局）が使用されている。【０００３】
近年では、高電力基地局よりも送信出力が小さい低電力基地局（いわゆる、ピコセル基地局又はフェムトセル基地局）が注目されている。低電力基地局を高電力基地局のセル内に設置することで、高電力基地局の負荷を低電力基地局に分散させることが可能になる。なお、高電力基地局と低電力基地局とが混在して使用される無線通信環境は、ヘテロジーニアス環境（Heterogeneous Deployment）と称される（例えば、非特許文献１参照）。
【先行技術文献】
【非特許文献】
【０００４】
【非特許文献１】3GPP R1-093433 “Uplink performance evaluation in heterogeneous deployment”
【発明の概要】
【０００５】
しかしながら、ヘテロジーニアス環境では、例えば、高電力基地局の近傍に低電力基地局が設置されるような場合には、低電力基地局の近傍に無線端末が存在するにもかかわらず、当該無線端末において、高電力基地局からの信号の受信電力やＳＩＮＲ（Signal to Interference and Noise Ratio）が、低電力基地局からの信号の受信電力やＳＩＮＲよりも高くなることがある。その結果、無線端末の接続先として高電力基地局が選択される、換言すれば、低電力基地局の通信エリアが狭くなり、低電力基地局を設置したにもかかわらず、負荷分散の効果を得られないことが起こり得る。
【０００６】
そこで、本発明は、高電力基地局の負荷を適切に分散させることが可能な無線通信システム、高電力基地局、低電力基地局、無線端末及び無線通信方法を提供することを目的とする。
【０００７】
上述した課題を解決するために、本発明は以下のような特徴を有している。本発明の第１の特徴は、高電力基地局（高電力基地局１００）と、前記高電力基地局よりも送信出力が小さい低電力基地局（低電力基地局２００）と、前記高電力基地局が形成する通信エリア内に位置する無線端末（無線端末３００）とを有する無線通信システム（無線通信システム１）であって、前記無線端末と前記低電力基地局との間の通信品質が所定値以上である場合に、前記高電力基地局を前記無線端末の接続先候補から除外する接続先候補設定部（接続先候補設定部１２４、接続先候補設定部２２４、接続先候補設定部３２３）を備え、前記所定値は、前記高電力基地局における制御情報用の無線リソースの使用率が大きいほど、高くなる値であることを要旨とする。
【０００８】
このような無線通信システムは、無線端末と低電力基地局との間の通信品質が所定値以上である場合には、高電力基地局との間の通信品質に関わらず、高電力基地局を無線端末の接続先候補から除外する。従って、無線端末と低電力基地局との間の通信品質が所定値以上である場合には、無線端末は、低電力基地局に接続することになり、高電力基地局の負荷を適切に分散させることが可能となる。
【０００９】
本発明の第２の特徴は、前記接続先候補設定部は、前記無線端末と前記低電力基地局との間の通信品質が所定値を超えていない場合に、最も高い通信品質に対応する前記高電力基地局及び前記低電力基地局の何れかを接続先候補とすることを要旨とする。
【００１０】
本発明の第３の特徴は、前記所定値は、前記低電力基地局から前記無線端末へ送信される制御情報の誤り率が規定値となる場合の通信品質であることを要旨とする。
【００１２】
本発明の第４の特徴は、高電力基地局と、前記高電力基地局よりも送信出力が小さい低電力基地局と、前記高電力基地局が形成する通信エリア内に位置する無線端末とを有する無線通信システムにおける前記高電力基地局であって、前記無線端末と前記低電力基地局との間の通信品質が所定値以上である場合に、前記高電力基地局を前記無線端末の接続先候補から除外する接続先候補設定部を備え、前記所定値は、前記高電力基地局における制御情報用の無線リソースの使用率が大きいほど、高くなる値であることを要旨とする。
【００１３】
本発明の第５の特徴は、高電力基地局と、前記高電力基地局よりも送信出力が小さい低電力基地局と、前記高電力基地局が形成する通信エリア内に位置する無線端末とを有する無線通信システムにおける前記低電力基地局であって、前記無線端末と前記低電力基地局との間の通信品質が所定値以上である場合に、前記高電力基地局を前記無線端末の接続先候補から除外する接続先候補設定部を備え、前記所定値は、前記高電力基地局における制御情報用の無線リソースの使用率が大きいほど、高くなる値であることを要旨とする。
【００１４】
本発明の第６の特徴は、高電力基地局と、前記高電力基地局よりも送信出力が小さい低電力基地局と、前記高電力基地局が形成する通信エリア内に位置する無線端末とを有する無線通信システムにおける前記無線端末であって、前記無線端末と前記低電力基地局との間の通信品質が所定値以上である場合に、前記高電力基地局を前記無線端末の接続先候補から除外する接続先候補設定部を備え、前記所定値は、前記高電力基地局における制御情報用の無線リソースの使用率が大きいほど、高くなる値であることを要旨とする。
【００１５】
本発明の第７の特徴は、高電力基地局と、前記高電力基地局よりも送信出力が小さい低電力基地局と、前記高電力基地局が形成する通信エリア内に位置する無線端末とを有する無線通信システムにおける無線通信方法であって、前記高電力基地局が、前記無線端末と前記低電力基地局との間の通信品質が所定値以上である場合に、前記高電力基地局を前記無線端末の接続先候補から除外するステップを含み、前記所定値は、前記高電力基地局における制御情報用の無線リソースの使用率が大きいほど、高くなる値であることを要旨とする。
【００１６】
本発明の第８の特徴は、高電力基地局と、前記高電力基地局よりも送信出力が小さい低電力基地局と、前記高電力基地局が形成する通信エリア内に位置する無線端末とを有する無線通信システムにおける無線通信方法であって、前記低電力基地局が、前記無線端末と前記低電力基地局との間の通信品質が所定値以上である場合に、前記高電力基地局を前記無線端末の接続先候補から除外するステップを含み、前記所定値は、前記高電力基地局における制御情報用の無線リソースの使用率が大きいほど、高くなる値であることを要旨とする。
【００１７】
本発明の第９の特徴は、高電力基地局と、前記高電力基地局よりも送信出力が小さい低電力基地局と、前記高電力基地局が形成する通信エリア内に位置する無線端末とを有する無線通信システムにおける無線通信方法であって、前記無線端末が、前記無線端末と前記低電力基地局との間の通信品質が所定値以上である場合に、前記高電力基地局を前記無線端末の接続先候補から除外するステップを含み、前記所定値は、前記高電力基地局における制御情報用の無線リソースの使用率が大きいほど、高くなる値であることを要旨とする。
【００１８】
本発明の特徴によれば、高電力基地局の負荷を適切に分散させることが可能な無線通信システム、高電力基地局、低電力基地局、無線端末及び無線通信方法を提供することができる。
【図面の簡単な説明】
【００１９】
【図１】図１は、本発明の実施形態に係る無線通信システムの全体概略構成図である。
【図２】図２は、本発明の第１及び第３の実施形態に係る高電力基地局の構成を示すブロック図である。
【図３】図３は、本発明の第１及び第２実施形態に係る低電力基地局の構成を示すブロック図である。
【図４】図４は、本発明の第１実施形態に係る無線端末の構成を示すブロック図である。
【図５】図５は、本発明の第１実施形態に係る無線通信システムの動作例を示すシーケンス図である。
【図６】図６は、本発明の第２実施形態に係る高電力基地局の構成を示すブロック図である。
【図７】図７は、本発明の第２及び第３の実施形態に係る無線端末の構成を示すブロック図である。
【図８】図８は、本発明の第２実施形態に係る無線通信システムの動作例を示すシーケンス図である。
【図９】図９は、本発明の第３の実施形態に係る低電力基地局の構成を示すブロック図である。
【図１０】図１０は、本発明の第３の実施形態に係る無線通信システムの動作例を示すシーケンス図である。
【発明を実施するための形態】
【００２０】
次に、図面を参照して、本発明の実施形態を説明する。以下の実施形態における図面の記載において、同一又は類似の部分には同一又は類似の符号を付している。
【００２１】
（無線通信システムの構成）
図１は、本発明の実施形態に係る無線通信システム１の全体概略構成図である。無線通信システム１は、例えば、第３．９世代（３．９Ｇ）携帯電話システムであるLTE Release9 や、第４世代（４Ｇ）携帯電話システムとして位置づけられているLTE-Advancedに基づく構成を有する。
【００２２】
図１に示すように、無線通信システム１は、ヘテロジーニアス環境において、大セル（例えば、マクロセル）ＭＣ１を形成する高電力基地局（高出力電力基地局、大出力基地局）（例えば、マクロセル基地局）１００と、小セル（例えば、ピコセル）ＰＣ１及び小セルＰＣ２をそれぞれ形成する低電力基地局（低出力電力基地局、小出力基地局）（例えば、ピコセル基地局）２００ａ及び低電力基地局２００ｂとを有する。ピコセルは、ホットゾーンとも称される。大セルＭＣ１の半径は、例えば１［ｋｍ］から数［ｋｍ］程度であり、小セルＰＣ１及び小セルＰＣ２のそれぞれの半径は、例えば数十［ｍ］から１００［ｍ］程度である。
【００２３】
なお、以下においては、小セルＰＣ１及び小セルＰＣ２を区別しないときは単に「小セルＰＣ」と称し、低電力基地局２００ａ及び低電力基地局２００ｂを区別しないときは単に「低電力基地局２００」と称する。
【００２４】
高電力基地局１００は、通信事業者がセル間干渉を考慮した置局設計に基づく場所に設置される。一方、低電力基地局２００は、高電力基地局１００における負荷を分散させるために、大セルＭＣ１内に設置される。
【００２５】
高電力基地局１００は、専用線を介してコアネットワーク５００に接続されている。一方、低電力基地局２００は、専用線を介してコアネットワーク５００に接続されている。但し、低電力基地局２００は、ＡＤＳＬやＦＴＴＨ等の一般公衆回線を介してコアネットワークに接続されることもある。
【００２６】
（１）第１実施形態
以下、第１実施形態における、高電力基地局、低電力基地局及び無線端末の構成と、無線通信システムの動作とについて説明する。第１実施形態では、無線端末３００の電源が投入された場合等の初期接続時における、当該無線端末３００の接続先候補の設定が行われる。
【００２７】
（１．１）高電力基地局の構成
図２は、第１実施形態における高電力基地局１００の構成を示す機能ブロック図である。図２に示すように、高電力基地局１００は、アンテナ部１０１、無線通信部１１０、制御部１２０、記憶部１３０及び有線通信部１４０を有する。
【００２８】
無線通信部１１０は、例えば無線周波数（ＲＦ）回路やベースバンド（ＢＢ）回路等を用いて構成され、アンテナ部１０１を介して、無線信号の送受信を行う。また、無線通信部１１０は、送信信号の符号化及び変調と、受信信号の復調及び復号とを行う。
【００２９】
制御部１２０は、例えばＣＰＵを用いて構成され、高電力基地局１００が具備する各種の機能を制御する。記憶部１３０は、例えばメモリを用いて構成され、高電力基地局１００の制御等に用いられる各種の情報を記憶する。有線通信部１４０は、コアネットワーク５００を介して、低電力基地局２００との通信を行う。
【００３０】
制御部１２０は、送信処理部１２１及び受信処理部１２２を有する。
【００３１】
送信処理部１２１は、下り方向の無線リソースであるリソースブロック（ＲＢ）内の制御情報チャネル（ＰＤＣＣＨ：Physical Downlink Control CHannel）を用いて制御情報を送信する処理を行う。ＰＤＣＣＨ内の制御情報（ＰＤＣＣＨ制御情報）は、無線通信部１１０及びアンテナ部１０１を介して送信される。
【００３２】
受信処理部１２２は、後述する無線端末３００が接続先候補として高電力基地局１００を設定した場合、当該無線端末３００からの接続要求を、アンテナ部１０１及び無線通信部１１０を介して受信する処理を行う。制御部１２０は、無線端末３００からの接続要求を受信した場合、当該接続要求に応じて、無線端末３００を接続する処理を行う。
【００３３】
（１．２）低電力基地局の構成
図３は、第１実施形態における低電力基地局２００の構成を示す機能ブロック図である。図３に示すように、低電力基地局２００は、アンテナ部２０１、無線通信部２１０、制御部２２０、記憶部２３０及び有線通信部２４０を有する。
【００３４】
無線通信部２１０は、例えば無線周波数（ＲＦ）回路やベースバンド（ＢＢ）回路等を用いて構成され、アンテナ部２０１を介して、無線信号の送受信を行う。また、無線通信部２１０は、送信信号の符号化及び変調と、受信信号の復調及び復号とを行う。
【００３５】
制御部２２０は、例えばＣＰＵを用いて構成され、低電力基地局２００が具備する各種の機能を制御する。記憶部２３０は、例えばメモリを用いて構成され、低電力基地局２００の制御等に用いられる各種の情報を記憶する。有線通信部２４０は、コアネットワーク５００を介して、高電力基地局１００との通信を行う。
【００３６】
制御部２２０は、送信処理部２２１及び受信処理部２２２を有する。
【００３７】
送信処理部２２１は、下り方向の無線リソースであるリソースブロック（ＲＢ）内の制御情報チャネル（ＰＤＣＣＨ）を用いて制御情報を送信する処理を行う。ＰＤＣＣＨ内の制御情報（ＰＤＣＣＨ制御情報）は、無線通信部２１０及びアンテナ部２０１を介して送信される。
【００３８】
受信処理部２２２は、後述する無線端末３００が接続先候補として低電力基地局２００を設定した場合、当該無線端末３００からの接続要求を、アンテナ部２０１及び無線通信部２１０を介して受信する処理を行う。制御部２２０は、無線端末３００からの接続要求を受信した場合、当該接続要求に応じて、無線端末３００を接続する処理を行う。
【００３９】
（１．３）無線端末の構成
図４は、第１実施形態における無線端末３００の構成を示す機能ブロック図である。図４に示すように、無線端末３００は、アンテナ部３０１、無線通信部３１０、制御部３２０、記憶部３３０、モニタ３４０、マイク３４２、スピーカ３４４及び操作部３４６を有する。
【００４０】
無線通信部３１０は、例えば無線周波数（ＲＦ）回路やベースバンド（ＢＢ）回路等を用いて構成され、アンテナ部３０１を介して、無線信号の送受信を行う。また、無線通信部３１０は、送信信号の符号化及び変調と、受信信号の復調及び復号とを行う。
【００４１】
制御部３２０は、例えばＣＰＵを用いて構成され、無線端末３００が具備する各種の機能を制御する。記憶部３３０は、例えばメモリを用いて構成され、無線端末３００の制御等に用いられる各種の情報を記憶する。
【００４２】
モニタ３４０は、制御部３２０を介して受信した画像を表示したり、操作内容（入力電話番号やアドレスなど）を表示したりする。マイク３４２は、音声を集音し、集音された音声に基づく音声データを制御部３２０へ出力する。スピーカ３４４は、制御部３２０から取得した音声データに基づいて音声を出力する。操作部３４６は、テンキーやファンクションキーなどによって構成され、ユーザの操作内容を入力するために用いられるインタフェースである。
【００４３】
制御部３２０は、受信処理部３２１、通信品質取得部３２２、接続先候補設定部３２３及び送信処理部３２４を含む。
【００４４】
受信処理部３２１は、アンテナ部３０１及び無線通信部３１０を介して、高電力基地局１００からのＰＤＣＣＨ制御情報を受信する処理を行うとともに、低電力基地局２００からのＰＤＣＣＨ制御情報を受信する処理を行う。受信処理部３２１は、ＰＤＣＣＨ制御情報の送信元の基地局の識別情報であるセルＩＤを、接続の初期段階における、同期チャネル（ＳＣＨ）内の情報によって推定することができる。また、受信処理部３２１は、物理層やデータリンク層よりも上位のレイヤの処理において、基地局からＰＤＳＣＨを用いて送信される制御情報を解読することにより、送信元が高電力基地局であるか低電力基地局であるかを識別する情報（送信出力識別情報）と、高電力基地局１００におけるＰＤＣＣＨの使用率とを取得することができる。
【００４５】
通信品質取得部３２２は、受信処理部３２１によって受信されたＰＤＣＣＨ制御情報の受信電力を測定する。
【００４６】
接続先候補設定部３２３は、各ＰＤＣＣＨ制御情報の受信電力に基づいて、高電力基地局１００及び低電力基地局２００の何れかを接続先候補として設定する。
【００４７】
具体的には、接続先候補設定部３２３は、各ＰＤＣＣＨ制御情報の送信元が高電力基地局１００であるか、低電力基地局２００であるかを判定する。以下、送信元が高電力基地局１００であるＰＤＣＣＨ制御情報を高電力ＰＤＣＣＨ制御情報と称し、送信元が低電力基地局２００であるＰＤＣＣＨ制御情報を低電力ＰＤＣＣＨ制御情報と称する。
【００４８】
次に、接続先候補設定部３２３は、低電力ＰＤＣＣＨ制御情報の受信電力が所定値以上であるか否かを判定する。所定値は、無線端末３００において低電力基地局２００から送信される低電力ＰＤＣＣＨ制御情報の誤り率が、ある規定値となる場合における、低電力ＰＤＣＣＨ制御情報の受信電力であり、予め定められ、記憶部３３０に記憶されている。
【００４９】
判定処理に先立って、接続先候補設定部３２３は、記憶部３３０に記憶された所定値を読み出す。次に、接続先候補設定部３２３は、高電力基地局１００におけるＰＤＣＣＨの使用率に基づいて、所定値を補正する。ここで、接続先候補設定部３２３は、高電力基地局１００におけるＰＤＣＣＨの使用率が高いほど、所定値が高くなるように補正を行う。
【００５０】
その後、接続先候補設定部３２３は、低電力ＰＤＣＣＨ制御情報の受信電力が補正後の所定値以上であるか否かを判定する。本実施形態では、低電力基地局２００ａ及び２００ｂのそれぞれから低電力ＰＤＣＣＨ制御情報が送信される。この場合、接続先候補設定部３２３は、低電力ＰＤＣＣＨ制御情報の受信電力の少なくとも何れかが補正後の所定値以上であるか否かを判定する。
【００５１】
低電力ＰＤＣＣＨ制御情報の受信電力が補正後の所定値以上である場合、接続先候補設定部３２３は、高電力基地局１００を接続先候補から除外する。換言すれば、低電力ＰＤＣＣＨ制御情報の受信電力が補正後の所定値以上である場合、接続先候補設定部３２３は、高電力ＰＤＣＣＨ制御情報の受信電力に関わらず、低電力基地局２００のうち、対応する低電力ＰＤＣＣＨ制御情報の受信電力が最も高い低電力基地局２００を接続先候補として設定する。
【００５２】
一方、低電力ＰＤＣＣＨ制御情報の受信電力が補正後の所定値未満である場合、接続先候補設定部３２３は、受信されたＰＤＣＣＨ制御情報のうち、対応する受信電力が最大であるＰＤＣＣＨ制御情報の送信元の基地局である高電力基地局１００及び低電力基地局２００の何れかを接続先候補として設定する。
【００５３】
送信処理部３２４は、接続先候補設定部３２３によって接続先候補として設定された高電力基地局１００及び低電力基地局２００の何れかに対して、無線通信部３１０及びアンテナ部３０１を介して、接続要求を送信する処理を行う。
【００５４】
（１．４）無線通信システムの動作
図５は、第１実施形態における無線通信システム１の動作例を示すシーケンス図である。
【００５５】
ステップＳ１０１において、高電力基地局１００は、高電力ＰＤＣＣＨ制御情報を送信する。無線端末３００は、高電力ＰＤＣＣＨ制御情報を受信する。ステップＳ１０２において、低電力基地局２００は、低電力ＰＤＣＣＨ制御情報を送信する。無線端末３００は、低電力ＰＤＣＣＨ制御情報を受信する。
【００５６】
ステップＳ１０３において、無線端末３００は、受信した高電力ＰＤＣＣＨ制御情報及び低電力ＰＤＣＣＨ制御情報の受信電力を測定する。
【００５７】
ステップＳ１０４において、無線端末３００は、高電力基地局１００におけるＰＤＣＣＨの使用率に基づいて、所定値が、ＰＤＣＣＨの使用率が高いほど、高くなるように補正する。
【００５８】
ステップＳ１０５において、無線端末３００は、低電力ＰＤＣＣＨ制御情報の受信電力が補正後の所定値以上であるか否かを判定する。
【００５９】
低電力ＰＤＣＣＨ制御情報の受信電力が補正後の所定値以上である場合、ステップＳ１０６において、無線端末３００は、高電力基地局１００を接続先候補から除外し、低電力基地局２００のうち、対応する低電力ＰＤＣＣＨ制御情報の受信電力が最も高い低電力基地局２００を接続先候補として設定する。
【００６０】
ステップＳ１０７において、無線端末３００は、接続先候補である低電力基地局２００へ接続要求を送信する。低電力基地局２００は、接続要求を受信する。
【００６１】
一方、ステップＳ１０５において、低電力ＰＤＣＣＨ制御情報の受信電力が補正後の所定値未満であると判定された場合、ステップＳ１０８において、無線端末３００は、受信した高電力ＰＤＣＣＨ制御情報及び低電力ＰＤＣＣＨ制御情報のうち、対応する受信電力が最大であるＰＤＣＣＨ制御情報の送信元の基地局である高電力基地局１００及び低電力基地局２００の何れかを接続先候補として設定する。
【００６２】
ステップＳ１０９において、無線端末３００は、接続先候補である高電力基地局１００及び低電力基地局２００の何れかへ接続要求を送信する。高電力基地局１００及び低電力基地局２００の何れかは、接続要求を受信する。
【００６３】
（２）第２実施形態
以下、第２実施形態における、高電力基地局、低電力基地局及び無線端末の構成と、無線通信システムの動作とについて説明する。第２実施形態では、当初、無線端末３００の接続先が高電力基地局１００であり、当該高電力基地局１００から低電力基地局２００へ切り替わるハンドオーバが行われる時において、無線端末３００の接続先候補の設定が行われる。
【００６４】
（２．１）高電力基地局の構成
図６は、第２実施形態における高電力基地局１００の構成を示す機能ブロック図である。図６に示すように、高電力基地局１００は、アンテナ部１０１、無線通信部１１０、制御部１２０、記憶部１３０及び有線通信部１４０を有する。
【００６５】
アンテナ部１０１、無線通信部１１０、記憶部１３０及び有線通信部１４０の処理は、図２に示す第１実施形態における高電力基地局１００と同様であるので、その説明は省略する。
【００６６】
制御部１２０は、例えばＣＰＵを用いて構成され、高電力基地局１００が具備する各種の機能を制御する。この制御部１２０は、送信処理部１２１、受信処理部１２２、通信品質取得部１２３及び接続先候補設定部１２４を有する。
【００６７】
送信処理部１２１は、ＰＤＣＣＨを用いて高電力ＰＤＣＣＨ制御情報を送信する処理を行う。高電力ＰＤＣＣＨ制御情報は、無線通信部１１０及びアンテナ部１０１を介して送信される。
【００６８】
受信処理部１２２は、無線端末３００からの各種情報を、アンテナ部１０１及び無線通信部１１０を介して受信する処理を行う。
【００６９】
通信品質取得部１２３は、受信処理部１２２によって受信された各種情報のうち、無線端末３００において測定された、高電力ＰＤＣＣＨ制御情報の受信電力と、低電力ＰＤＣＣＨ制御情報の受信電力とを取得する。ここで、高電力ＰＤＣＣＨ制御情報の受信電力と、低電力ＰＤＣＣＨ制御情報の受信電力とには、それぞれ対応する基地局の基地局ＩＤが含まれている。
【００７０】
接続先候補設定部１２４は、高電力ＰＤＣＣＨ制御情報の受信電力及び低電力ＰＤＣＣＨ制御情報の受信電力に基づいて、高電力基地局１００及び低電力基地局２００の何れかを接続先候補として設定する。
【００７１】
具体的には、接続先候補設定部１２４は、第１実施形態における無線端末３００の制御部３２０内の接続先候補設定部３２３とほぼ同様の処理を行う。すなわち、接続先候補設定部１２４は、各ＰＤＣＣＨ制御情報の送信元が高電力基地局１００であるか、低電力基地局２００であるかを判定する。
【００７２】
次に、接続先候補設定部３２３は、低電力ＰＤＣＣＨ制御情報の受信電力が所定値以上であるか否かを判定する。所定値は、無線端末３００において低電力基地局２００から送信される低電力ＰＤＣＣＨ制御情報の誤り率が、ある規定値となる場合における、低電力ＰＤＣＣＨ制御情報の受信電力であり、予め定められ、記憶部１３０に記憶されている。
【００７３】
判定処理に先立って、接続先候補設定部１２４は、記憶部１３０に記憶された所定値を読み出す。次に、接続先候補設定部１２４は、高電力基地局１００におけるＰＤＣＣＨの使用率を取得し、高電力基地局１００におけるＰＤＣＣＨの使用率が高いほど、所定値が高くなるように補正を行う。
【００７４】
その後、接続先候補設定部１２４は、低電力ＰＤＣＣＨ制御情報の受信電力が補正後の所定値以上であるか否かを判定する。本実施形態では、低電力基地局２００ａ及び低電力基地局２００ｂのそれぞれから無線端末３００へ低電力ＰＤＣＣＨ制御情報が送信され、受信電力が測定される。この場合、接続先候補設定部１２４は、低電力ＰＤＣＣＨ制御情報の受信電力の少なくとも何れかが補正後の所定値以上であるか否かを判定する。
【００７５】
低電力ＰＤＣＣＨ制御情報の受信電力が補正後の所定値以上である場合、接続先候補設定部１２４は、高電力基地局１００を接続先候補から除外する。換言すれば、低電力ＰＤＣＣＨ制御情報の受信電力が補正後の所定値以上である場合、接続先候補設定部１２４は、高電力ＰＤＣＣＨ制御情報の受信電力に関わらず、低電力基地局２００のうち、対応する低電力ＰＤＣＣＨ制御情報の受信電力が最も高い低電力基地局２００を接続先候補として設定する。
【００７６】
一方、低電力ＰＤＣＣＨ制御情報の受信電力が補正後の所定値未満である場合、接続先候補設定部１２４は、受信電力が最大であるＰＤＣＣＨ制御情報の送信元の基地局である高電力基地局１００及び低電力基地局２００の何れかを接続先候補として設定する。
【００７７】
送信処理部１２５は、接続先候補設定部１２４によって接続先候補として低電力基地局２００が設定された場合、当該低電力基地局２００に対して、有線通信部１４０を介して、無線端末３００を接続する要求であるハンドオーバ要求を送信する。ハンドオーバ要求の送信先は、接続先候補としての低電力基地局２００に対応する基地局ＩＤにより判別される。更に、送信処理部１２５は、無線端末３００に対して、無線通信部１１０及びアンテナ部１０１を介して、接続先を高電力基地局１００から接続先候補としての低電力基地局２００へ切り替える指示であるハンドオーバ指示を送信する。
【００７８】
一方、接続先候補設定部１２４によって接続先候補として高電力基地局１００が設定された場合、ハンドオーバに関わる処理は行われず、無線端末３００が高電力基地局１００に接続された状態が維持される。
【００７９】
（２．２）低電力基地局の構成
低電力基地局２００の構成は、図３に示す第１実施形態における低電力基地局２００の構成と同様であるので、その説明は省略する。
【００８０】
（２．３）無線端末の構成
図７は、第２実施形態における無線端末３００の構成を示す機能ブロック図である。図７に示すように、無線端末３００は、アンテナ部３０１、無線通信部３１０、制御部３２０、記憶部３３０、モニタ３４０、マイク３４２、スピーカ３４４及び操作部３４６を有する。
【００８１】
アンテナ部３０１、無線通信部３１０、記憶部３３０、モニタ３４０、マイク３４２、スピーカ３４４及び操作部３４６の処理は、図４に示す第１実施形態における無線端末３００と同様であるので、その説明は省略する。
【００８２】
制御部３２０は、例えばＣＰＵを用いて構成され、無線端末３００が具備する各種の機能を制御する。この制御部３２０は、受信処理部３２１、通信品質取得部３２２及び送信処理部３２４を含む。
【００８３】
受信処理部３２１は、アンテナ部３０１及び無線通信部３１０を介して、高電力基地局１００からの高電力ＰＤＣＣＨ制御情報を受信する処理を行うとともに、低電力基地局２００からの低電力ＰＤＣＣＨ制御情報を受信する処理を行う。
【００８４】
通信品質取得部３２２は、高電力ＰＤＣＣＨ制御情報の受信電力と、低電力ＰＤＣＣＨ制御情報の受信電力とを測定する。
【００８５】
送信処理部３２４は、無線端末３００が接続している高電力基地局１００に対して、無線通信部３１０及びアンテナ部３０１を介して、高電力ＰＤＣＣＨ制御情報の受信電力と、低電力ＰＤＣＣＨ制御情報の受信電力とを送信する処理を行う。上述したように、高電力ＰＤＣＣＨ制御情報の受信電力と、低電力ＰＤＣＣＨ制御情報の受信電力とには、それぞれ対応する基地局の基地局ＩＤが含まれている。
【００８６】
（２．４）無線通信システムの動作
図８は、第２実施形態における無線通信システム１の動作例を示すシーケンス図である。
【００８７】
ステップＳ２０１において、高電力基地局１００は、高電力ＰＤＣＣＨ制御情報を送信する。無線端末３００は、高電力ＰＤＣＣＨ制御情報を受信する。ステップＳ２０２において、低電力基地局２００は、低電力ＰＤＣＣＨ制御情報を送信する。無線端末３００は、低電力ＰＤＣＣＨ制御情報を受信する。
【００８８】
ステップＳ２０３において、無線端末３００は、受信した高電力ＰＤＣＣＨ制御情報及び低電力ＰＤＣＣＨ制御情報の受信電力を測定する。
【００８９】
ステップＳ２０４において、無線端末３００は、高電力ＰＤＣＣＨ制御情報の受信電力及び低電力ＰＤＣＣＨ制御情報の受信電力を高電力基地局１００へ送信する。高電力基地局１００は、高電力ＰＤＣＣＨ制御情報の受信電力及び低電力ＰＤＣＣＨ制御情報の受信電力を受信する。
【００９０】
ステップＳ２０５において、高電力基地局１００は、当該高電力基地局１００におけるＰＤＣＣＨの使用率が高いほど、所定値が高くなるように補正を行う。
【００９１】
ステップＳ２０６において、高電力基地局１００は、低電力ＰＤＣＣＨ制御情報の受信電力が補正後の所定値以上であるか否かを判定する。
【００９２】
低電力ＰＤＣＣＨ制御情報の受信電力が補正後の所定値以上である場合、ステップＳ２０７において、高電力基地局１００は、当該高電力基地局１００を接続先候補から除外し、低電力基地局２００のうち、対応する低電力ＰＤＣＣＨ制御情報の受信電力が最も高い低電力基地局２００を接続先候補として設定する。
【００９３】
ステップＳ２０８において、高電力基地局１００は、接続先候補である低電力基地局２００へハンドオーバ要求を送信する。低電力基地局２００は、ハンドオーバ要求を受信する。その後、低電力基地局２００は、無線端末３００の接続先が高電力基地局１００から低電力基地局２００へ切り替わるハンドオーバに関わる処理を行う。
【００９４】
更に、ステップＳ２０９において、高電力基地局１００は、無線端末３００に対して、ハンドオーバ指示を行う。無線端末３００は、ハンドオーバ指示を受信する。その後、無線端末３００は、当該無線端末３００の接続先が高電力基地局１００から低電力基地局２００へ切り替わるハンドオーバに関わる処理を行う。
【００９５】
一方、ステップＳ２０６において、低電力ＰＤＣＣＨ制御情報の受信電力が補正後の所定値未満であると判定された場合、ステップＳ２１０において、高電力基地局１００は、受信電力が最大であるＰＤＣＣＨ制御情報の送信元の基地局である高電力基地局１００及び低電力基地局２００の何れかを接続先候補として設定する。
【００９６】
接続先候補が低電力基地局２００である場合、ステップＳ２１１において、高電力基地局１００は、接続先候補である低電力基地局２００へハンドオーバ要求を送信する。低電力基地局２００は、ハンドオーバ要求を受信する。その後、低電力基地局２００は、無線端末３００の接続先が高電力基地局１００から低電力基地局２００へ切り替わるハンドオーバに関わる処理を行う。
【００９７】
更に、ステップＳ２１２において、高電力基地局１００は、無線端末３００に対して、ハンドオーバ指示を行う。無線端末３００は、ハンドオーバ指示を受信する。その後、無線端末３００は、当該無線端末３００の接続先が高電力基地局１００から低電力基地局２００へ切り替わるハンドオーバに関わる処理を行う。
【００９８】
（３）第３実施形態
以下、第３実施形態における、高電力基地局、低電力基地局及び無線端末の構成と、無線通信システムの動作とについて説明する。第３実施形態では、当初、無線端末３００の接続先が低電力基地局２００であり、当該低電力基地局２００から高電力基地局１００や他の低電力基地局２００へ切り替わるハンドオーバが行われる時において、無線端末３００の接続先候補の設定が行われる。
【００９９】
（３．１）高電力基地局の構成
高電力基地局１００の構成は、図２に示す第１実施形態における高電力基地局１００の構成と同様であるので、その説明は省略する。
【０１００】
（３．２）低電力基地局の構成
図９は、第３実施形態における低電力基地局２００の構成を示す機能ブロック図である。図９に示すように、低電力基地局１００は、アンテナ部２０１、無線通信部２１０、制御部２２０、記憶部２３０及び有線通信部２４０を有する。
【０１０１】
アンテナ部２０１、無線通信部２１０、記憶部２３０及び有線通信部２４０の処理は、図３に示す第１実施形態における低電力基地局２００と同様であるので、その説明は省略する。
【０１０２】
制御部２２０は、例えばＣＰＵを用いて構成され、低電力基地局２００が具備する各種の機能を制御する。この制御部２２０は、送信処理部２２１、受信処理部２２２、通信品質取得部２２３及び接続先候補設定部２２４を有する。
【０１０３】
送信処理部２２１は、ＰＤＣＣＨを用いて低電力ＰＤＣＣＨ制御情報を送信する処理を行う。低電力ＰＤＣＣＨ制御情報は、無線通信部２１０及びアンテナ部２０１を介して送信される。
【０１０４】
受信処理部２２２は、無線端末３００からの各種情報を、アンテナ部２０１及び無線通信部２１０を介して受信する処理を行う。
【０１０５】
通信品質取得部２２３は、受信処理部２２２によって受信された各種情報のうち、無線端末３００において測定された、高電力ＰＤＣＣＨ制御情報の受信電力と、低電力ＰＤＣＣＨ制御情報の受信電力とを取得する。ここで、高電力ＰＤＣＣＨ制御情報の受信電力と、低電力ＰＤＣＣＨ制御情報の受信電力とには、それぞれ対応する基地局の基地局ＩＤが含まれている。
【０１０６】
接続先候補設定部２２４は、高電力ＰＤＣＣＨ制御情報の受信電力及び低電力ＰＤＣＣＨ制御情報の受信電力に基づいて、高電力基地局１００及び低電力基地局２００の何れかを接続先候補として設定する。
【０１０７】
具体的には、接続先候補設定部２２４は、第１実施形態における無線端末３００の制御部３２０内の接続先候補設定部３２３とほぼ同様の処理を行う。すなわち、接続先候補設定部２２４は、各ＰＤＣＣＨ制御情報の送信元が高電力基地局１００であるか、低電力基地局２００であるかを判定する。
【０１０８】
次に、接続先候補設定部２２３は、低電力ＰＤＣＣＨ制御情報の受信電力が所定値以上であるか否かを判定する。所定値は、無線端末３００において低電力基地局２００から送信される低電力ＰＤＣＣＨ制御情報の誤り率が、ある規定値（例えば１％）となる場合における、低電力ＰＤＣＣＨ制御情報の受信電力であり、予め定められ、記憶部１３０に記憶されている。
【０１０９】
判定処理に先立って、接続先候補設定部２２４は、記憶部２３０に記憶された所定値を読み出す。次に、接続先候補設定部２２４は、高電力基地局１００におけるＰＤＣＣＨの使用率に基づいて、当該使用率が高いほど、所定値が高くなるように補正を行う。
【０１１０】
その後、接続先候補設定部２２４は、低電力ＰＤＣＣＨ制御情報の受信電力が補正後の所定値以上であるか否かを判定する。本実施形態では、低電力基地局２００ａ及び低電力基地局２００ｂのそれぞれから無線端末３００へ低電力ＰＤＣＣＨ制御情報が送信され、受信電力が測定される。この場合、接続先候補設定部２２４は、低電力ＰＤＣＣＨ制御情報の受信電力の少なくとも何れかが補正後の所定値以上であるか否かを判定する。
【０１１１】
低電力ＰＤＣＣＨ制御情報の受信電力が補正後の所定値以上である場合、接続先候補設定部２２４は、高電力基地局１００を接続先候補から除外する。換言すれば、低電力ＰＤＣＣＨ制御情報の受信電力が補正後の所定値以上である場合、接続先候補設定部２２４は、高電力ＰＤＣＣＨ制御情報の受信電力に関わらず、低電力基地局２００のうち、対応する低電力ＰＤＣＣＨ制御情報の受信電力が最も高い低電力基地局２００を接続先候補として設定する。
【０１１２】
一方、低電力ＰＤＣＣＨ制御情報の受信電力が補正後の所定値未満である場合、接続先候補設定部２２４は、受信電力が最大であるＰＤＣＣＨ制御情報の送信元の基地局である高電力基地局１００及び低電力基地局２００の何れかを接続先候補として設定する。
【０１１３】
送信処理部２２５は、接続先候補設定部２２４によって接続先候補として、高電力基地局１００、及び、自低電力基地局２００以外の他の低電力基地局２００の何れかが設定された場合、高電力基地局１００及び他の低電力基地局２００の何れかに対して、有線通信部２４０を介して、無線端末３００を接続する要求であるハンドオーバ要求を送信する。ハンドオーバ要求の送信先は、接続先候補としての高電力基地局１００や低電力基地局２００に対応する基地局ＩＤにより判別される。更に、送信処理部２２５は、無線端末３００に対して、無線通信部２１０及びアンテナ部２０１を介して、接続先を低電力基地局２００から接続先候補としての高電力基地局１００及び他の低電力基地局２００のへ切り替える指示であるハンドオーバ指示を送信する。
【０１１４】
一方、接続先候補設定部２２４によって接続先候補として自低電力基地局２００が設定された場合、ハンドオーバに関わる処理は行われず、無線端末３００が自低電力基地局２００に接続された状態が維持される。
【０１１５】
（３．３）無線端末の構成
無線端末３００の構成は、図７に示す第２実施形態における無線端末３００の構成と同様であるので、その説明は省略する。
【０１１６】
（３．４）無線通信システムの動作
図１０は、第３実施形態における無線通信システム１の動作例を示すシーケンス図である。なお、以下においては、無線端末３００は、当初、低電力基地局２００ａ及び２００ｂのうち、低電力基地局２００ａに接続しているものとする。
【０１１７】
ステップＳ３０１において、高電力基地局１００は、高電力ＰＤＣＣＨ制御情報を送信する。無線端末３００は、高電力ＰＤＣＣＨ制御情報を受信する。ステップＳ３０２において、低電力基地局２００は、低電力ＰＤＣＣＨ制御情報を送信する。無線端末３００は、低電力ＰＤＣＣＨ制御情報を受信する。
【０１１８】
ステップＳ３０３において、無線端末３００は、受信した高電力ＰＤＣＣＨ制御情報及び低電力ＰＤＣＣＨ制御情報の受信電力を測定する。
【０１１９】
ステップＳ３０４において、無線端末３００は、高電力ＰＤＣＣＨ制御情報の受信電力及び低電力ＰＤＣＣＨ制御情報の受信電力を低電力基地局２００ａへ送信する。低電力基地局２００ａは、高電力ＰＤＣＣＨ制御情報の受信電力及び低電力ＰＤＣＣＨ制御情報の受信電力を受信する。
【０１２０】
ステップＳ３０５において、低電力基地局２００ａは、高電力基地局１００におけるＰＤＣＣＨの使用率が高いほど、所定値が高くなるように補正を行う。
【０１２１】
ステップＳ３０６において、低電力基地局２００ａは、低電力ＰＤＣＣＨ制御情報の受信電力が補正後の所定値以上であるか否かを判定する。
【０１２２】
低電力ＰＤＣＣＨ制御情報の受信電力が補正後の所定値以上である場合、ステップＳ３０７において、低電力基地局２００ａは、高電力基地局１００を接続先候補から除外し、低電力基地局２００ａ及び２００ｂのうち、対応する低電力ＰＤＣＣＨ制御情報の受信電力が最も高い低電力基地局２００を接続先候補として設定する。
【０１２３】
接続先候補が低電力基地局２００ｂである場合、ステップＳ３０８において、低電力基地局２００ａは、接続先候補である低電力基地局２００ｂへハンドオーバ要求を送信する。低電力基地局２００ｂは、ハンドオーバ要求を受信する。その後、低電力基地局２００ｂは、無線端末３００の接続先が低電力基地局２００ａから低電力基地局２００ｂへ切り替わるハンドオーバに関わる処理を行う。
【０１２４】
更に、ステップＳ３０９において、低電力基地局２００ａは、無線端末３００に対して、ハンドオーバ指示を行う。無線端末３００は、ハンドオーバ指示を受信する。その後、無線端末３００は、当該無線端末３００の接続先が低電力基地局２００ａから低電力基地局２００ｂへ切り替わるハンドオーバに関わる処理を行う。
【０１２５】
一方、ステップＳ３０６において、低電力ＰＤＣＣＨ制御情報の受信電力が補正後の所定値未満であると判定された場合、ステップＳ３１０において、低電力基地局２００ａは、受信電力が最大であるＰＤＣＣＨ制御情報の送信元の基地局である高電力基地局１００、低電力基地局２００ａ及び２００ｂの何れかを接続先候補として設定する。
【０１２６】
接続先候補が低電力基地局２００ｂである場合、ステップＳ３１１において、低電力基地局２００ａは、接続先候補である低電力基地局２００ｂへハンドオーバ要求を送信する。低電力基地局２００ｂは、ハンドオーバ要求を受信する。その後、低電力基地局２００ｂは、無線端末３００の接続先が低電力基地局２００ａから低電力基地局２００ｂへ切り替わるハンドオーバに関わる処理を行う。
【０１２７】
また、接続先候補が高電力基地局１００である場合、ステップＳ３１１において、低電力基地局２００ａは、接続先候補である高電力基地局１００へハンドオーバ要求を送信する。高電力基地局１００は、ハンドオーバ要求を受信する。その後、高電力基地局１００は、無線端末３００の接続先が低電力基地局２００ａから高電力基地局１００へ切り替わるハンドオーバに関わる処理を行う。
【０１２８】
更に、ステップＳ３１２において、低電力基地局２００ａは、無線端末３００に対して、ハンドオーバ指示を行う。無線端末３００は、ハンドオーバ指示を受信する。その後、無線端末３００は、当該無線端末３００の接続先が低電力基地局２００ａから低電力基地局２００ｂあるいは高電力基地局１００へ切り替わるハンドオーバに関わる処理を行う。
【０１２９】
（４）作用・効果
第１実施形態における無線通信システム１では、無線端末３００は、低電力基地局２００からの低電力ＰＤＣＣＨ制御情報の受信電力が所定値以上である場合には、高電力基地局１００からの高電力ＰＤＣＣＨ制御情報の受信電力にかかわらず、高電力基地局１００を無線端末３００の接続先候補から除外する。
【０１３０】
また、第２実施形態における無線通信システム１では、高電力基地局１００は、無線端末３００における、低電力基地局２００からの低電力ＰＤＣＣＨ制御情報の受信電力が所定値以上である場合には、高電力基地局１００からの高電力ＰＤＣＣＨ制御情報の受信電力にかかわらず、高電力基地局１００を無線端末３００の接続先候補から除外する。
【０１３１】
また、第３実施形態における無線通信システム１では、低電力基地局２００は、無線端末３００における、低電力基地局２００からの低電力ＰＤＣＣＨ制御情報の受信電力が所定値以上である場合には、高電力基地局１００からの高電力ＰＤＣＣＨ制御情報の受信電力にかかわらず、高電力基地局１００を無線端末３００の接続先候補から除外する。
【０１３２】
従って、低電力ＰＤＣＣＨ制御情報の受信電力が所定値以上である場合には、無線端末３００は、低電力基地局２００に接続することになり、実質的に低電力基地局２００の通信エリア（カバレッジエリア）が従来よりも拡大する。これにより、高電力基地局１００の負荷を適切に分散させることが可能となる。また、無線端末３００が低電力基地局２００に接続しても、ＰＤＣＣＨの品質は維持される。ＰＤＣＣＨを用いて送信される制御情報には、ＰＤＳＣＨの割り当て情報、ＰＵＳＣＨの割り当て情報等が含まれるため、ＰＤＣＣＨの品質が維持されることにより、下り方向のリンクの特性のみならず上り方向のリンクの特性をも向上させることができる。
【０１３３】
また、所定値は、無線端末３００における低電力基地局２００からの低電力ＰＤＣＣＨ制御情報の誤り率が規定値となる場合の受信電力である。従って、低電力基地局２００が無線端末３００の接続先となった場合にも、低電力ＰＤＣＣＨ制御情報の誤り率を規定値以下に維持することが可能となる。
【０１３４】
更には、所定値は、高電力基地局１００におけるＰＤＣＣＨの使用率が大きいほど、高くなる値である。高電力基地局１００におけるＰＤＣＣＨの使用率が大きいほど、無線端末３００が低電力基地局２００に接続された場合、高電力基地局１００からの干渉を受ける可能性が高まる。従って、高電力基地局１００におけるＰＤＣＣＨの使用率が大きいほど、高くなるようにすることで、高電力基地局１００におけるＰＤＣＣＨの使用率が大きいほど、無線端末３００の接続先候補が低電力基地局２００になる可能性を減らし、更には、高電力基地局１００からの干渉を受ける可能性を減らすことができる。
【０１３５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３６】
上述した実施形態では、無線端末３００と高電力基地局１００及び低電力基地局２００との間の通信品質として、無線端末３００における高電力ＰＤＣＣＨ制御情報及び低電力ＰＤＣＣＨ制御情報の受信電力を用いたが、無線端末３００における、高電力基地局１００及び低電力基地局２００からの他の信号の受信電力を、無線端末３００と高電力基地局１００及び低電力基地局２００との間の通信品質として用いてもよい。また、無線端末３００における、高電力基地局１００及び低電力基地局２００からの信号のＳＩＮＲを、無線端末３００と高電力基地局１００及び低電力基地局２００との間の通信品質として用いてもよい。
【０１３７】
また、上述した実施形態では、高電力基地局１００が、マクロセルを形成するマクロセル基地局であり、低電力基地局２００が、ピコセルを形成するピコセル基地局である場合について説明したが、高電力基地局１００と低電力基地局２００は、これらに限定されず、低電力基地局２００の送信出力が高電力基地局１００の送信出力よりも小さいという関係にあればよい。例えば、高電力基地局１００が、マクロセルを形成するマクロセル基地局である場合には、低電力基地局３００は、マイクロセルを形成するマイクロセル基地局あるいはフェムトセルを形成するフェムト基地局とすることができる。また、高電力基地局１００が、マイクロセルを形成するマイクロセル基地局である場合には、低電力基地局２００は、フェムトセルを形成するフェムトセル基地局とすることができる。更には、高電力基地局１００が、ピコセルを形成するピコセル基地局である場合には、低電力基地局２００は、フェムトセルを形成するフェムトセル基地局とすることができる。
【０１３８】
また、上述した実施形態では、無線通信システム１は、LTE Release 9やLTE-Advancedに基づく構成であったが、他の通信規格に基づく構成であってもよい。
【０１３９】
このように本発明は、ここでは記載していない様々な実施形態等を包含するということを理解すべきである。したがって、本発明はこの開示から妥当な特許請求の範囲の発明特定事項によってのみ限定されるものである。
【０１４０】
なお、日本国特許出願第２００９−２５１６６８号（２００９年１１月２日出願）の全内容が、参照により、本願明細書に組み込まれている。
【産業上の利用可能性】
【０１４１】
本発明の無線通信システム、高電力基地局、低電力基地局、無線端末及び無線通信方法は、高電力基地局の負荷を適切に分散させることが可能であり、無線通信システム等として有用である。
【図１】
0005432278.tif 000002
【図２】
0005432278.tif 000003
【図３】
0005432278.tif 000004
【図４】
0005432278.tif 000005
【図５】
0005432278.tif 000006
【図６】
0005432278.tif 000007
【図７】
0005432278.tif 000008
【図８】
0005432278.tif 000009
【図９】
0005432278.tif 000010
【図１０】
0005432278.tif 000011